(57)【要約】【課題】  プラントの監視精度を低下させることなく、表示されたプラント情報の視認性を向上させる。【解決手段】  プロセス値を対話装置３にプロットして表示する際に、１プロット領域に対応する時間幅を１プロット時間幅として、この１プロット時間幅内に複数のプロセス値が存在するか否かを判断し、複数存在する場合には、それらのプロセス値に対してデータ表示手段１４から要求された演算式に従い演算を行って、その結果を１のプロセス値として出力する表示データ変換手段１５を、データ取得手段１３とデータ表示手段１４との間に設けて、１プロット時間幅の領域に複数のプロセス値がプロットされることによる視認性の低下を防止する。【選択図】      図１
2005071277.tif 000002
【特許請求の範囲】
【請求項１】
収集された時系列データのプロセス値等のプロセス値情報をを保存する表示情報データベースと、該表示情報データベースから前記プロセス値を読出して出力するデータ取得手段と、該データ取得手段に前記プロセス値の読出しを指示し、読出された当該プロセス値を出力するデータ表示手段とを備えたデータ収集表示装置を有すると共に、前記データ表示手段からの前記プロセス値を画面にプロットして表示する表示器を備えた対話装置を有するプラント監視装置において、
前記プロセス値を前記表示器にプロットして表示する際に、１プロット領域に対応する時間幅を１プロット時間幅として、この１プロット時間幅内に複数の前記プロセス値が存在するか否かを判断し、複数存在する場合には、それらのプロセス値に対して前記データ表示手段から要求された演算式に従い演算を行って、その結果を１のプロセス値として出力する表示データ変換手段を設けたことを特徴とするプラント監視装置。
【請求項２】
収集された時系列データのプロセス値等のプロセス値情報を保存する表示情報データベースと、該表示情報データベースから前記プロセス値を読出して出力するデータ取得手段と、該データ取得手段に前記プロセス値の読出しを指示し、読出された当該プロセス値を出力するデータ表示手段とを備えたデータ収集表示装置を有すると共に、前記データ表示手段からのプロセス値を画面にプロットして表示する表示器を備える対話装置を有するプラント監視装置において、
前記プロセス値を前記表示器にプロットして表示する際に、１プロット領域に対応する時間幅を１プロット時間幅とし、また当該１プロット領域に対応するデータ幅を１プロットデータ幅として、前記１プロット時間幅内で、かつ、該１プロットデータ幅内に複数の前記プロセス値が存在するか否かを判断し、複数存在する場合にはその個数を検出して当該１プロット領域における表示色の濃度を演算して前記対話装置に出力する曲面描画変換手段を設けたことを特徴とするプラント監視装置。
【請求項３】
収集された時系列データのプロセス値等のプロセス値情報を保存する表示情報データベースと、該表示情報データベースから前記プロセス値を読出して出力するデータ取得手段と、該データ取得手段に前記プロセス値の読出しを指示し、読出された当該プロセス値を出力するデータ表示手段とを備えたデータ収集表示装置を有すると共に、前記データ表示手段からのプロセス値を画面にプロットして表示する表示器を備えた対話装置を有するプラント監視装置において、
前記データ取得手段からの前記プロセス値を予め設定された時間間隔毎に受取り、その時間間隔内の当該プロセス値に対して所定の演算を行って、その演算結果を１のプロセス値として出力する表示データ変換手段を複数直列に設けたことを特徴とするプラント監視装置。
【請求項４】
収集された時系列データのプロセス値等のプロセス値情報を保存する表示情報データベースと、該表示情報データベースから前記プロセス値を読出して出力するデータ取得手段と、該データ取得手段に前記プロセス値の読出しを指示し、読出された当該プロセス値を出力するデータ表示手段とを備えたデータ収集表示装置を有すると共に、前記データ表示手段からのプロセス値を画面にプロットして表示する表示器を備えた対話装置を有するプラント監視装置において、
前記表示情報データベースから取得した時系列の前記プロセス値を前記表示器にプロットして表示する際に、前記データ表示手段からの前記プロセス値の変化量が所定値を超えたときの回数をカウントし、当該カウント値が予め設定された表示変化量基準値に達した場合には、カウント開始から前記表示変化量基準値に達したときまでの時間幅及びその間のプロセス値を前記対話装置に出力する表示時間幅変換手段を設けたことを特徴とするプラント監視装置。
【請求項５】
時系列データのプロセス値等のプロセス値情報を収集するプロセス値入力手段と、収集された前記プロセス値を保存する表示情報データベースと、該表示情報データベースから前記プロセス値を読出して出力するデータ取得手段と、該データ取得手段に前記プロセス値の読出しを指示し、読出された当該プロセス値を出力するデータ表示手段とを備えたデータ収集表示装置を有すると共に、前記データ表示手段からの前記プロセス値を画面にプロットして表示する表示器を備えた対話装置を有するプラント監視装置において、
前記プロセス値入力手段により取込まれた前記プロセス値の変化量が所定値を超えたときの回数をカウントし、該カウント値が予め設定された時間内に予め設定された表示変化量基準値に達しなかった場合には、前記データ保存手段が前記プロセス値を保存する際のデッドバンド幅を規定値にするように当該データ保存手段に指令を出し、前記カウント値が予め設定された前記時間内に予め設定された前記表示変化量基準値に達した場合には、前記デッドバンド幅を前記規定値より小さい幅にするように当該データ保存手段に指令を出すデッドバンド幅変換手段を設けたことを特徴とするプラント監視装置。
【発明の詳細な説明】
【技術分野】
【０００１】
本発明は、プロセス値を表示してプラント監視を行う際に、その表示されたグラフ等の情報の視認性を高めたプラント監視装置に関する。
【背景技術】
【０００２】
従来、プラントの監視には図１３に示すようにデータ収集表示装置２及び対話装置３を主要構成としたプラント監視装置が用いられている。
【０００３】
データ収集表示装置２は、プロセスデータ１から計測器等で計測されたプラント機器のプロセス値やプロセス値状態をプロセス値情報として収集し、このプロセス値を対話装置３における表示器にプロット表示して点や線を描くことによりプラント状態を表示させるもので、プロセス値入力手段１１、データ保存手段１２、データ取得手段１３、データ表示手段１４及び表示情報データベース２１等により構成されている。なお、以下、表示情報データベース２１を表示情報ＤＢ２１と記載する。
【０００４】
プロセス値入力手段１１は、プロセスデータ１からのプロセス値及びプロセス値状態のプロセス値情報を取込んで、これらをデータ保存手段１２に出力するものである。
【０００５】
データ保存手段１２は、プロセス値入力手段１１からプロセス値情報を取込み、これを表示情報ＤＢ２１で保存するのに適したデータ構造に変換して、当該表示情報ＤＢ２１に保存するものである。
【０００６】
表示情報ＤＢ２１に保存されているプロセス値情報は、図１４に示すように、１本のグラフの情報をなす複数のトレンド情報２２からなり、このトレンド情報２２はプロセス値をプロットするためのタイムスタンプ、プロセス識別番号（プロセスＩＤ）、プロセス値等からなる複数のプロット情報２３から構成されている。
【０００７】
データ取得手段１３は、表示情報ＤＢ２１から時系列データのプロセス値を取出してデータ表示手段１４に出力するものである。
【０００８】
データ表示手段１４は、データ取得手段１３からのプロセス値を取込んで対話装置３に出力するものである。
【０００９】
このような構成で、図１５に示すような、トレンドグラフ３１を表示する手順は以下のように行われる。先ず、データ表示手段１４は、データ取得手段１３に任意のグラフ表示時間帯（図１５ではトレンドグラフ３１の横軸）を伝えて、その時間帯のプロセス値を要求する。
【００１０】
この要求に基づきデータ取得手段１３は、表示情報ＤＢ２１から該当するプロセス値を取得しデータ表示手段１４に出力する。
【００１１】
データ表示手段１４は、取得したプロセス値を表示器に表示する際の位置（プロット位置）を決めて対話装置３に出力する。そして、プロット点を線で結ぶ等によりトレンドグラフ３１が表示される。
【００１２】
なお、表示器の画面はＸＹ軸の２次元配列されたドットで構成されているので、プロット位置の指定は、例えばそのプロセス値の計測時間に対応するＸ軸方向のドット座標と当該プロセス値の値に対応するＹ軸方向のドット座標のようにプロットするドットの座標を指定することになる。
【００１３】
このようなプロセス値を表示してプラント監視が行えるようにしたものとしては、特開平１１−２１２６３０号公報に係るものがある（特許文献１参照）。
【特許文献１】特開平１１−２１２６３０号公報
【発明の開示】
【発明が解決しようとする課題】
【００１４】
しかしながら、昨今の技術進歩により高速かつ大量のプロセス値が計測されるようになり、このようなプロセス値をそのまま対話装置３の表示器で表示するようにすると以下のような問題があった。
【００１５】
即ち、ドットを点灯等させることによりプロセス値のプロットが行われるため、プロセス値の量が多くなると表示データが過密になり、Ｙ軸方向に並ぶ１つのドット列（Ｘ座標値が同じでＹ座標値の異なるドット列）に複数のプロセス値がプロットされてしまう事態が生じてグラフがつぶれて見難くなってしまう問題があった。
【００１６】
特に、従来は表示するグラフの時間軸（Ｘ軸）が固定されていたり手動設定であったりするため、かかる視認性を改善することができず又面倒でプラントの過渡状態等の把握が的確に行えない問題がある。
【００１７】
このとき１本の線グラフでなく帯グラフとして表示することも可能であるが、従来の構成ではプロセス値の分布に関わらず一様な帯グラフが表示されてしまうため、例えばノイズ的な異常値を示すプロセス値と他の正常なプロセス値との区別ができない問題があった。
【００１８】
また、このようなプロセス値を表示してプラント監視を行う際に、プロセス値の計測精度でプラント監視を行うことは希であるにも関わらず、従来は計測されたプロセス値をそのまま保存して表示するため、表示処理等に多くの無駄が発生し、また当該プロセス値が大量になるに従い大容量の保存領域を持つ表示情報ＤＢを設ける必要が生じてコストアップの要因となる問題があった。
【００１９】
そこで、本発明は、プラントの監視精度を低下させることなく、表示されたプラント情報の視認性を向上させて、的確、かつ、容易にプラント監視が行えるようにしたプラント監視装置を提供することを目的とする。
【課題を解決するための手段】
【００２０】
課題を解決するため、請求項１にかかる発明は、収集された時系列データのプロセス値等のプロセス値情報をを保存する表示情報データベースと、該表示情報データベースからプロセス値を読出して出力するデータ取得手段と、該データ取得手段にプロセス値の読出しを指示し、読出された当該プロセス値を出力するデータ表示手段とを備えたデータ収集表示装置を有すると共に、データ表示手段からのプロセス値を画面にプロットして表示する表示器を備えた対話装置を有するプラント監視装置において、プロセス値を表示器にプロットして表示する際に、１プロット領域に対応する時間幅を１プロット時間幅として、この１プロット時間幅内に複数のプロセス値が存在するか否かを判断し、複数存在する場合には、それらのプロセス値に対してデータ表示手段から要求された演算式に従い演算を行って、その結果を１のプロセス値として出力する表示データ変換手段を設けて、１プロット時間幅の領域に複数のプロセス値がプロットされることによる視認性の低下を防止したことを特徴とする。
【００２１】
請求項２にかかる発明は、収集された時系列データのプロセス値等のプロセス値情報を保存する表示情報データベースと、該表示情報データベースからプロセス値を読出して出力するデータ取得手段と、該データ取得手段にプロセス値の読出しを指示し、読出された当該プロセス値を出力するデータ表示手段とを備えたデータ収集表示装置を有すると共に、データ表示手段からのプロセス値を画面にプロットして表示する表示器を備える対話装置を有するプラント監視装置において、プロセス値を表示器にプロットして表示する際に、１プロット領域に対応する時間幅を１プロット時間幅とし、また当該１プロット領域に対応するデータ幅を１プロットデータ幅として、１プロット時間幅内で、かつ、該１プロットデータ幅内に複数のプロセス値が存在するか否かを判断し、複数存在する場合にはその個数を検出して当該１プロット領域における表示色の濃度を演算して対話装置に出力する曲面描画変換手段を設けて、プロセス値を帯グラフ状に表示した際にその分布が容易に把握できるようにしたことを特徴とする。
【００２２】
請求項３にかかる発明は、収集された時系列データのプロセス値等のプロセス値情報を保存する表示情報データベースと、該表示情報データベースからプロセス値を読出して出力するデータ取得手段と、該データ取得手段にプロセス値の読出しを指示し、読出された当該プロセス値を出力するデータ表示手段とを備えたデータ収集表示装置を有すると共に、データ表示手段からのプロセス値を画面にプロットして表示する表示器を備えた対話装置を有するプラント監視装置において、データ取得手段からのプロセス値を予め設定された時間間隔毎に受取り、その時間間隔内の当該プロセス値に対して所定の演算を行って、その演算結果を１のプロセス値として出力する表示データ変換手段を設けて、的確なプラント状態の表示を可能にして視認性を向上させたことを特徴とする。
【００２３】
請求項４にかかる発明は、収集された時系列データのプロセス値等のプロセス値情報を保存する表示情報データベースと、該表示情報データベースからプロセス値を読出して出力するデータ取得手段と、該データ取得手段にプロセス値の読出しを指示し、読出された当該プロセス値を出力するデータ表示手段とを備えたデータ収集表示装置を有すると共に、データ表示手段からのプロセス値を画面にプロットして表示する表示器を備えた対話装置を有するプラント監視装置において、表示情報データベースから取得した時系列のプロセス値を表示器にプロットして表示する際に、データ表示手段からのプロセス値の変化量が所定値を超えたときの回数をカウントし、当該カウント値が予め設定された表示変化量基準値に達した場合には、カウント開始から表示変化量基準値に達したときまでの時間幅及びその間のプロセス値を対話装置に出力する表示時間幅変換手段を設けて、過渡状態等の状態にあるプラントの状態監視や状態解析が容易に行えるようにしたことを特徴とする。
【００２４】
請求項５にかかる発明は、時系列データのプロセス値等のプロセス値情報を収集するプロセス値入力手段と、収集されたプロセス値を保存する表示情報データベースと、該表示情報データベースからプロセス値を読出して出力するデータ取得手段と、該データ取得手段にプロセス値の読出しを指示し、読出された当該プロセス値を出力するデータ表示手段とを備えたデータ収集表示装置を有すると共に、データ表示手段からのプロセス値を画面にプロットして表示する表示器を備えた対話装置を有するプラント監視装置において、プロセス値入力手段により取込まれたプロセス値の変化量が所定値を超えたときの回数をカウントし、該カウント値が予め設定された時間内に予め設定された表示変化量基準値に達しなかった場合には、データ保存手段がプロセス値を保存する際のデッドバンド幅を規定値にするように当該データ保存手段に指令を出し、カウント値が予め設定された時間内に予め設定された表示変化量基準値に達した場合には、デッドバンド幅を規定値より小さい幅にするように当該データ保存手段に指令を出すデッドバンド幅変換手段を設けて、監視精度内で表示情報データベースの保存領域の削減を図りながらプラントが過渡状態にある時間帯をより詳細に表示できるようにしてプラント監視や状態解析を容易にしたことを特徴とする。
【発明の効果】
【００２５】
請求項１に係る発明によると、大量のプロセス値を１プロット内に表示されるプロセス値が自動選択できるため、トレンド表示の視認性を向上させることができる。
【００２６】
請求項２に係る発明によると、一定時間内のプロセス値の推移や、プロセス量の密度を立体的に表示することで、トレンド表示の視認性を向上させることができる。
【００２７】
請求項３に係る発明によると、複数の演算式による演算が可能になり、より複雑な選択結果としてグラフ表示させることができるため、トレンド表示の視認性を向上させることができる。
【００２８】
請求項４に係る発明によると、プロセス値の変化量が大きい時間帯が自動選択されることで、トレンド表示の操作性を向上させることができる。
【００２９】
請求項５に係る発明によると、プロセス値の変化量が大きい時間帯をより精密なプロセス値として保存することで、トレンド表示の操作性を向上させることができる。また、変化量が少ない時間帯は保存量を抑えるため、表示情報データベースの保存領域を効率よく使用することができる。
【発明を実施するための最良の形態】
【００３０】
本発明の実施の形態を図を参照して説明する。なお、図１３に示す従来の構成と同一構成に関しては同一符号を用いて説明を適宜省略する。
【００３１】
図１は第１の本実施の形態に係るプラント監視装置のブロック図で、該プラント監視装置はデータ収集表示装置２及び対話装置３を主要構成として、図１３に示した従来構成のプラント監視装置に対し、データ収集表示装置２においては、データ取得手段１３とデータ表示手段１４との間に表示データ変換手段１５を追設した点が大きな特徴となっている。
【００３２】
なお、本発明ではプロセス値を対話装置３におけるＣＲＴや液晶ディスプレーのような表示器にグラフ表示する場合を例に説明する。その際、グラフの横軸を時間、縦軸をプロセス値とし、横軸最小値をｔ１、横軸最大値をｔ２として説明する。
【００３３】
表示データ変換手段１５は、データ取得手段１３からプロセス値を取込んで、１プロット時間幅Δｔ内に複数のプロセス値が存在するか否かを判断する。
【００３４】
ＣＲＴのような表示器を考えた場合、情報の表示はドットを点灯等させることにより行う。そこで、この１ドットを１プロット領域とすると、この場合は１プロット時間幅Δｔは横軸最小値ｔ１と横軸最大値ｔ２との間のドット数をＮとしたとき、Δｔ＝（ｔ２−ｔ１）／Ｎとなる。無論、複数ドットを１プロット領域としてもよい。例えば、２ドットを１プロット領域とする場合の１プロット時間幅ΔｔはΔｔ＝（ｔ２−ｔ１）／（Ｎ／２）となる。
【００３５】
そして、１プロット時間幅Δｔ内に複数のプロセス値が存在する場合には、予め設定された最大値、最小値又は中間値等を演算する演算式に従いその複数のプロセス値を用いて演算し、その結果を１個のプロセス値としてデータ表示手段１４に出力する。
【００３６】
このような構成で、先ずデータ表示手段１４からデータ取得手段１３に表示データ取得要求が出力され、データ取得手段１３は表示情報ＤＢ２１から要求された時刻範囲ｔ１〜ｔ２のプロセス値を取得して表示データ変換手段１５に出力する。
【００３７】
表示データ変換手段１５は、図２に示すような手順に従い演算処理して、その結果をデータ表示手段１４へ送信する。
【００３８】
即ち、表示データ変換手段１５は、データ表示手段１４から表示データ取得要求を受取る（ステップＡＳ１）。この表示データ取得要求には、時刻範囲ｔ１〜ｔ２、この時刻範囲の分割個数ｎ１（先の仮定によりグラフの横軸のドット数である）、時刻範囲ｔ１〜ｔ２の間のプロセス値ｄ［ｎ２］及び演算式の指定が含まれる。
【００３９】
そして、時刻範囲ｔ１〜ｔ２を分割個数ｎ１で割って、１プロット時間幅Δｔを算出する（ステップＳＡ２）。
【００４０】
次に、各１プロット時間幅Δｔの時間幅内に存在するプロセス値の個数を検出する。例えば、時刻ｔ〜時刻ｔ＋Δｔ内にプロセス値が１０個存在した場合には、上記プロセス値の個数は１０となる。このような検出を時刻範囲ｔ１〜ｔ２に渡り１プロット時間幅Δｔ毎に行い（ステップＳＡ３）、当該１プロット時間幅Δｔに複数のプロセス値が存在したか否かの判断を行う（ステップＳＡ４）。
【００４１】
複数のプロセス値が存在した場合には、指定された演算式により演算してその結果を出力する（ステップＳＡ５，ステップＳＡ７）。一方、複数のプロセス値が存在しない場合には、そのプロセス値をそのまま出力する（ステップＳＡ６，ステップＳＡ７）。
【００４２】
このように１プロット時間幅Δｔ内に複数のプロセス値が存在した場合には、指定された演算式で最大値、最小値、中間値等を求める演算を行って１個のプロセス値として出力するため、１プロット領域に対して１個のプロセス値がプロットされるようになり視認性等が向上して的確、かつ、迅速にプラント状態を把握することが可能となる。
【００４３】
次に、本発明の第２の実施の形態を説明する。図３は、本実施の形態にかかるプラント監視装置のブロック図で、図１３に示した従来の構成に対して、曲面描画変換手段１６を追設した点が相違している。
【００４４】
この曲面描画変換手段１６は、データ表示手段１４から入力されたプロセス値ｄ［ｎ２］を帯グラフとして表示し、その際に当該プロセス値の分布を表示色の濃度を変えて色等高線で表示できるようにしたものである。
【００４５】
即ち、データ表示手段１４は対話装置３に出力するためのプロセス値をデータ取得手段１３を介して表示情報ＤＢ２１より取得して曲面描画変換手段１６に出力する。
【００４６】
曲面描画変換手段１６は、図４に示す手順で、データ表示手段１４からプロセス値及び時刻範囲ｔ１〜ｔ２を受取る（ステップＳＢ１）。
【００４７】
この時刻範囲ｔ１〜ｔ２から１プロット時間幅Δｔを算出し、またプロセス値の幅（表示するグラフの縦軸最小値をＰ１、縦軸最大値をＰ２としたときのＰ２−Ｐ１）を一定間隔（例えば、縦軸最小値Ｐ１と縦軸最大値Ｐ２との間だのドット数）で分割して、その分割幅を１プロットデータ幅ΔＰとする（ステップＳＢ２）。即ち１プロットデータ幅ΔＰは、１プロット領域に対応するプロセス値の幅である。
【００４８】
そして、データ表示手段１４からのプロセス値ｄ［ｎ２］から、１プロット時間幅Δｔで、かつ、１プロットデータ幅ΔＰに含まれるプロセス値を取出し、その濃度演算数Ｋを求める（ステップＳＢ３）。例えば、時刻ｔ〜ｔ＋Δｔの間でプロセス値Ｐ〜Ｐ＋Δｐのプロセス値の数が１０あると、濃度演算数Ｋは１０となる。
【００４９】
このようにして求められた濃度演算数Ｋに色の濃さの基準値を掛けて、それぞれの１プロット領域の濃度を算出して、その濃度での表示を行う（ステップＳＢ４、ステップＳＢ５）。このような処理を全てのプロット領域に対して行い（ステップＳＢ６）、処理が終了する。
【００５０】
これにより、図５に示すような、色等高線の帯グラフのトレンドグラフ３１が表示されるようになる。
【００５１】
従って、視認性等が向上して、的確、かつ、迅速にプラント状態を把握することができるようになると共に、帯グラフの幅、色濃度、等高線密度等から例えばプラントの安定性や正常／異常の判断が容易に行えるようになる。
【００５２】
次に、本発明の第３の実施の形態を説明する。図６は、本実施の形態にかかるプラント監視装置のブロック図で、図１３に示した従来の構成に対して、先に説明した表示データ変換手段１５と同じ構成の表示データ変換手段１５（１５−１〜１５−ｎ）を複数追設した点が相違している。
【００５３】
即ち、この表示データ変換手段１５（１５−１〜１５−ｎ）は、プロセス値を取込んで所定時間幅内に複数のプロセス値が存在するか否かを判断し、複数存在する場合には所定の演算を行う。
【００５４】
このとき各表示データ変換手段１５における上記時間幅はそれぞれ異なり、最終段の表示データ変換手段１５−ｎにおける時間幅はこれまで説明した１プロット時間幅Δｔである。また、演算式も各表示データ変換手段１５で個別に指定可能になっている。
【００５５】
このような構成で、データ表示手段１４からデータ取得手段１３に表示データ取得要求が出力され、この要求に応じたプロセス値が表示情報ＤＢ２１から読出されて表示データ変換手段１５−１に入力する。
【００５６】
表示データ変換手段１５−１では所定の時間幅内に複数のプロセス値が存在した場合には、それらを指定された演算式により最大値、最小値または中間値等を求める演算を行って、その結果を以降のデータ変換手段１５に出力し、最終段の表示データ変換手段１５−ｎは、その演算結果を用いて１プロット時間幅Δｔ内に複数のプロセス値が存在した場合には、それらを指定された演算式により演算して、その結果をデータ表示手段１４に送信する。
【００５７】
例えば、前段側を表示データ変換手段１５−１、後段側を表示データ変換手段１５−２（ｎ＝２）とする２つの表示データ変換手段１５を設け、表示データ変換手段１５−１の時間幅を１００ミリ秒、表示データ変換手段１５−２の時間幅を１秒の１プロット時間幅Δｔとして、表示データ変換手段１５−１で最大値を求める演算を行い、表示データ変換手段１５−２で中間値を求める演算を行うような場合が例示できる。
【００５８】
このような場合には、表示データ変換手段１５−１で１００ミリ秒間隔でのプロセス値の最大値を求め、表示データ変換手段１５−２ではこのような最大値からなるプロセス値を１秒間隔での中間値に演算して出力することになる。
【００５９】
従って、各表示データ変換手段１５での時間幅及び演算式の指定の仕方により、種々の精度でプラントの状態監視が行えるようになる。
【００６０】
次に、本発明の第４の実施の形態を説明する。図７は、本実施の形態にかかるプラント監視装置のブロック図で、図１３に示した従来の構成に対して、表示時間幅変換手段１９を追設した点が相違している。
【００６１】
この表示時間幅変換手段１９は、データ表示手段１４から送られてくるプロセス値の変化量からトレンドグラフ３１の時間幅を自動的に判断して当該プロセス値等を対話装置３に送信するものである。
【００６２】
この処理を図８及び図９を参照して説明する。表示時間幅変換手段１９には、データ表示手段１４から時刻範囲ｔ１〜ｔ２、この時刻範囲ｔ１〜ｔ２のプロセス値ｄ［ｎ］及び表示変化量基準値Ｆｃが入力する（ステップＳＣ１）。
【００６３】
そして、プロセス値の変化量Ｖを各プロセス値毎に算出し、その変化量Ｖが予め設定された所定値Ｖｃを超えたか否かを判断して、所定値Ｖｃを超えた場合には（Ｖ≦Ｖｃ）、カウント値Ｆの値を１増加させる（ステップＳＣ２）。
【００６４】
その後、カウント値Ｆが表示変化量基準値Ｆｃを超えたか否かの判断を行う（ステップＳＣ３）。
【００６５】
Ｆ＜Ｆｃの場合は、時刻範囲ｔ１〜ｔ２のプロセス値を最大時間幅分のデータとして対話装置３へ出力する（ステップＳＣ４）。これにより、図８のトレンドグラフ３１ａが表示される。
【００６６】
一方、Ｆ≧Ｆｃの場合は、カウント値Ｆ＝１になった時刻を時刻ｔ１とし、カウント値Ｆ＝Ｆｃになった時刻を時刻ｔ２としてセットし（ステップＳＣ５）、この時間内のプロセス値を対話装置３に出力する（ステップＳＣ４）。これにより、図８のトレンドグラフ３１ｂが表示される。
【００６７】
従って、プラントが過渡状態であるためにプロセス値が大きく変動するような時間帯に対して自動的に当該時間帯を判断して表示できるようになり、プラント監視や状態解析を容易に行うことが可能になる。
【００６８】
次に、本発明の第５の実施の形態を説明する。図１０は、本実施の形態にかかるプラント監視装置のブロック図で、図１３に示した構成に対して、デッドバンド幅変換手段２０をプロセス値入力手段１１とデータ保存手段１２との間に追設した点が相違している。
【００６９】
デッドバンド幅変換手段２０は、プロセス値入力手段１１から送られてくるプロセス値の変化量が予め設定された所定値より小さい場合には、このようなプロセス値の保存を行わないようにデータ保存手段１２に保存の際のデッドバンド幅の変更指示が行えるようにしたものである。
【００７０】
このようなデッドバンド幅変換手段２０の動作を図１１及び図１２を参照して説明する。当該デッドバンド幅変換手段２０にはプロセス値入力手段１１から時刻範囲ｔ１〜現在時刻までのプロセス値ｄ［ｎ］、表示変化量基準値Ｇｃ、過去数回分の保存された表示情報ＤＢ２１のプロセス値が入力する（ステップＳＤ１）。
【００７１】
デッドバンド幅変換手段２０は、この過去数回分のプロセス値の平均値を算出して変化量判断値Ｈｃとする。
【００７２】
そして、各プロセス値Ｈと変化量判断値Ｈｃとを比較し、Ｈ≧Ｈｃとなるとカウンタ値Ｇを１増やす（ステップＳＤ２）。
【００７３】
このカウンタ値Ｇが所定時間内に表示変化量基準値Ｇｃに達したか否かを判断する（ステップＳＤ３）。
【００７４】
Ｇ＜Ｇｃの場合にはデータ保存手段１２にデッドバンド幅を規定値（例えば１％）に変更するようにデッドバンド幅変更指令を出力する（ステップＳＤ４）。
【００７５】
デッドバンド幅を「１％」にすると、入力したプロセス値がこのデッドバンド幅でフィルタリングされることになり、保存されるプロセス値の個数が減る。この結果、表示保存ＤＢの保存領域が削減され、かかるプロセス値をグラフ表示すると、図１１のトレンドグラフ３１ｃのように一定値が継続するグラフとなる。
【００７６】
一方、Ｇ≧Ｇｃの場合にはデータ保存手段１２にデッドバンド幅を規定値より小さい幅（例えば０％）に変更するようにデッドバンド幅変更指令を出力する（ステップＳＤ５）。
【００７７】
デッドバンド幅を「０％」にすることは、入力したプロセス値をそのまま保存することを意味し、このようにして保存されたプロセス値をグラフ表示すると、図１１のトレンドグラフ３１ｄのようなグラフとなる。
【００７８】
このように、デッドバンド幅を変更するようにすることで、プラントが過渡状態にある時間帯をより詳細に表示できるため、プラント監視や状態解析が容易になる。
【図面の簡単な説明】
【００７９】
【図１】本発明の第１の実施の形態の説明に適用されるプラント監視装置のブロック図である。
【図２】表示データ変換手段の処理手順を示すフローチャートである。
【図３】本発明の第２の実施の形態の説明に適用されるプラント監視装置のブロック図である。
【図４】曲面描画変換手段の処理手順を示すフローチャートである。
【図５】曲面描画変換手段により処理されたプロセス値によるトレンドグラフを示す図である。
【図６】本発明の第３の実施の形態の説明に適用されるプラント監視装置のブロック図である。
【図７】本発明の第４の実施の形態の説明に適用されるプラント監視装置のブロック図である。
【図８】表示時間幅変換手段により処理されたプロセス値によるトレンドグラフを示す図である。
【図９】表示時間幅変換手段の処理手順を示すフローチャートである。
【図１０】本発明の第５の実施の形態の説明に適用されるプラント監視装置のブロック図である。
【図１１】デッドバンド幅変換手段により処理されたプロセス値によるトレンドグラフを示す図である。
【図１２】デッドバンド幅変換手段の処理手順を示すフローチャートである。
【図１３】従来の技術の説明に適用されるプラント監視装置のブロック図である。
【図１４】表示情報データベースに保存されているプロセス値情報の構成を説明する図である。
【図１５】従来の技術の説明に適用されるトレンドグラフを説明する図である。
【符号の説明】
【００８０】
２  データ収集表示装置
３  対話装置
１１  プロセス値入力手段
１２  データ保存手段
１３  データ取得手段
１４  データ表示手段
１５（１５−１〜１５−ｎ）  表示データ変換手段
１６  曲面描画変換手段
１９  表示時間幅変換手段
２０  デッドバンド幅変換手段
２１  表示情報ＤＢ
２２  トレンド情報
２３  プロット情報
３１（３１ａ〜３１ｃ）  トレンドグラフ
【図１】
2005071277.tif 000003
【図２】
2005071277.tif 000004
【図３】
2005071277.tif 000005
【図４】
2005071277.tif 000006
【図５】
2005071277.tif 000007
【図６】
2005071277.tif 000008
【図７】
2005071277.tif 000009
【図８】
2005071277.tif 000010
【図９】
2005071277.tif 000011
【図１０】
2005071277.tif 000012
【図１１】
2005071277.tif 000013
【図１２】
2005071277.tif 000014
【図１３】
2005071277.tif 000015
【図１４】
2005071277.tif 000016
【図１５】
2005071277.tif 000017